(57)【要約】【課題】  洗浄ノズルより食器類に向けて洗浄水を噴射して食器類を洗浄する食器洗い機において、１つの洗浄ポンプで複数の洗浄ノズルから選択的に水を噴射できるようにし、コストアップや機器全体を大型化せずに、低騒音化と節水を実現する。【解決手段】  食器類を配置し洗浄する洗浄槽１４の内部に洗浄水を噴射する複数の洗浄ノズル１８〜２０を設け、これら洗浄ノズル１８〜２０へ洗浄ポンプ１０より洗浄水を供給し、この洗浄ポンプ１０と複数の洗浄ノズル１８〜２０とを連結する流水経路の途中に切換弁１７を設け、洗浄水を噴射する洗浄ノズルを選択する。切換弁１７は、洗浄槽１４の底面に一体に設けた洗浄水導入口４１を有するケース部１５と、このケース部１５の上方に設けかつ洗浄槽１４の底面に固定し洗浄ノズル１８〜２０への流水経路を構成する配管部材１６との間に形成した空間４４内に設ける。【選択図】  図１
2005074151.tif 000002
【特許請求の範囲】
【請求項１】
食器類を配置し洗浄する洗浄槽と、この洗浄槽の内部に設け洗浄水を噴射する複数の洗浄ノズルと、これら洗浄ノズルへ洗浄水を供給する洗浄ポンプと、この洗浄ポンプと前記複数の洗浄ノズルとを連結する流水経路の途中に設け洗浄水を噴射する洗浄ノズルを選択する切換弁とを備え、前記切換弁は、前記洗浄槽の底面に一体に設け洗浄水導入口を有するケース部と、このケース部の上方に設けかつ前記洗浄槽底面に固定し前記洗浄ノズルへの流水経路を構成する配管部材との間に形成した空間内に設けた食器洗い機。
【請求項２】
配管部材は、洗浄槽底面より取り外し可能とした請求項１記載の食器洗い機。
【請求項３】
配管部材は、上下２部品を接合して形成した請求項２記載の食器洗い機。
【発明の詳細な説明】
【技術分野】
【０００１】
本発明は、洗浄ノズルより食器類に向けて洗浄水を噴射して食器類を洗浄する食器洗い機に関するものである。
【背景技術】
【０００２】
従来、この種の食器洗い機は図８および図９に示すように構成していた。以下、その構成について説明する。
【０００３】
図８及び図９に示すように、洗浄槽１は、前方に開口部２を有し、この開口部２を扉３により開閉するとともに、内部に洗浄水を噴射する複数の洗浄ノズル４を回転自在に設けており、洗浄槽１内に食器類５を収容する食器かご６を配置している。洗浄槽１は台枠７にて支持している。
【０００４】
洗浄槽１内に給水弁８より供給された洗浄水は、ヒータ９によって温水化され、洗浄ポンプ１０にて残滓フィルタ１１を介して吸い込まれ、洗浄ノズル４に圧送され、噴出口から食器類５に向けて噴出し、循環する。これにより、食器類５は洗浄される。洗浄行程が終了すると、洗浄水は洗浄槽１の下部に設けた排水ポンプ１２によって機外に排水される。
【０００５】
洗浄ノズル４は洗浄槽１の底面に固定した軸受部１３に回転自在に取り付け、上方への洗浄水噴射の反力により一定方向に連続回転する。これにより、食器類５に対し同心円状に洗浄水が噴射され、食器類５に付着した汚れを洗浄する（例えば、特許文献１参照）。
【０００６】
また、他の従来例として、基本的な構成は上記従来例と同じで、洗浄ポンプと複数の洗浄ノズルとを連結する流水経路の途中に、洗浄水を噴射する洗浄ノズルを選択する切換弁を洗浄槽の下部に設けた構成のものもある（例えば、特許文献２参照）。
【特許文献１】特開平９−１０３４０２号公報
【特許文献２】特開２００１−２１８７２１号公報
【発明の開示】
【発明が解決しようとする課題】
【０００７】
しかしながら、このような従来の食器洗い機では、複数の洗浄ノズル４から同時に水が噴射されるため、騒音が大きく、かつ洗浄槽１内に溜められる洗浄水が大量に必要であった。
【０００８】
また、切換弁を洗浄槽１の下部に設ける構成のものでは、上記と比較して低騒音化と節水が可能となるが、構成が複雑で機器全体が大型化するという問題を有していた。
【０００９】
本発明は上記従来の課題を解決するもので、１つの洗浄ポンプで複数の洗浄ノズルから選択的に水を噴射できるようにし、コストアップや機器全体を大型化せずに、低騒音化と節水を実現することを目的としている。
【課題を解決するための手段】
【００１０】
本発明は上記目的を達成するために、食器類を配置し洗浄する洗浄槽の内部に洗浄水を噴射する複数の洗浄ノズルを設け、これら洗浄ノズルへ洗浄ポンプより洗浄水を供給し、この洗浄ポンプと複数の洗浄ノズルとを連結する流水経路の途中に切換弁を設け、洗浄水を噴射する洗浄ノズルを選択するよう構成し、切換弁は、洗浄槽の底面に一体に設けた洗浄水導入口を有するケース部と、このケース部の上方に設けかつ洗浄槽底面に固定し洗浄ノズルへの流水経路を構成する配管部材との間に形成した空間内に設けたものである。
【００１１】
これにより、１つの洗浄ポンプで複数の洗浄ノズルから選択的に水を噴射させることができ、コストアップや機器全体の大型化を最小限に抑えつつ、低騒音化と節水化を実現することができる。
【発明の効果】
【００１２】
本発明の食器洗い機は、１つの洗浄ポンプで複数の洗浄ノズルから選択的に水を噴射させることができ、コストアップや機器全体の大型化を最小限に抑えつつ、低騒音化と節水化を実現することができる。
【発明を実施するための最良の形態】
【００１３】
第１の発明は、食器類を配置し洗浄する洗浄槽と、この洗浄槽の内部に設け洗浄水を噴射する複数の洗浄ノズルと、これら洗浄ノズルへ洗浄水を供給する洗浄ポンプと、この洗浄ポンプと前記複数の洗浄ノズルとを連結する流水経路の途中に設け洗浄水を噴射する洗浄ノズルを選択する切換弁とを備え、前記切換弁は、前記洗浄槽の底面に一体に設け洗浄水導入口を有するケース部と、このケース部の上方に設けかつ前記洗浄槽底面に固定し前記洗浄ノズルへの流水経路を構成する配管部材との間に形成した空間内に設けたものであり、１つの洗浄ポンプで複数の洗浄ノズルから選択的に水を噴射させることができ、コストアップや機器全体が大型化を最小限に抑えつつ、低騒音化と節水を実現できる食器洗い機を提供することができる。
【００１４】
第２の発明は、上記第１の発明において、配管部材は、洗浄槽底面より取り外し可能としたものであり、切換弁に異物が噛み込む等の不具合が生じた場合のメンテナンスを洗浄槽内側から容易に行うことができる。
【００１５】
第３の発明は、上記第２の発明において、配管部材は、上下２部品を接合して形成したものであり、配管部材を容易に形成することができる。
【００１６】
以下、本発明の一実施の形態について、図面を参照しながら説明する。なお、従来例と同じ構成のものは同一符号を付して説明を省略する。また、この実施の形態によって本発明が限定されるものではない。
【００１７】
（実施の形態１）
図１に示すように、洗浄槽１４は、前方に開口部を有し、この開口部を扉（図示せず）により開閉するとともに、内部に食器類（図示せず）を収容する食器かご６を配置している。この洗浄槽１４の底面にケース部１５を一体に設け、ケース部１５の上方に、配管部材１６をねじ（図示せず）により洗浄槽１４の底面に固定し、配管部材１６は、洗浄槽１４の底面より取り外し可能としている。ケース部１５と配管部材１６との間に形成された空間４４に切換弁１７を設けている。配管部材１６には左洗浄ノズル１８と右洗浄ノズル１９とを回転自在に軸支するとともに、洗浄槽１４の背面に密着された固定ノズル２０へ洗浄水を送る管を一体に有する。
【００１８】
配管部材１６は、図２〜図４に示すように、洗浄水を洗浄ノズル１８〜２０にそれぞれ導出するための分水部２１、左洗浄ノズル１８への導水部２２、右洗浄ノズル１９への導水部２３、固定ノズル２０への導水部２４、２５を有する下側部材１６ａに、左洗浄ノズル１８の軸受部２６、右洗浄ノズル１９の軸受部２７、固定ノズル２０への接合部２８、２９を有する上側部材１６ｂを振動溶着にて接合して形成している。
【００１９】
切換弁１７は、図５に示すような閉塞部材３０が、洗浄ポンプ１０の運転と停止に伴い上下往復運動し、断続的に回転しながら配管部材１６の分水部２１の通水すべき導水部位外を順次塞いでいくよう構成している。
【００２０】
閉塞部材３０は、図５（ａ）〜（ｃ）に示すように構成しており、主に切り欠き３１と平坦部３２とを有する円盤３３からなっている。摺動面３４ａ、３４ｂは、円盤３３の上面に設け上部のカム機構を構成するもので、傾斜を有し、円盤３３の中心軸３５を中心とする同一円周上に連なっている。また、摺動面３６は、円盤３３の下面でカム機構を構成するもので、傾斜を有し、円盤３３の中心軸３５を軸とする同一円周上に連なっている。ガイド穴３７は、円盤３３の略中央に設けている。
【００２１】
閉塞部材３０は、洗浄槽１４の底面に一体的に形成されたケース部１５の底面に設けた、図６に示すような支持部３８に、ガイド穴３７を貫通させて、上下および回転自在に設置してある。ただし、支持部３８の根元には、下方のカムを構成する摺動面３９を設けており、閉塞部材３０下面の摺動面３６との間でカム機構を構成するものである。円盤３３の下面には自重を増すための重り部材４０を取り付けている。
【００２２】
ケース部１５には、洗浄ポンプ１０によって圧送された洗浄水を導入する洗浄水導入口４１を設けている。ケース部１５内に導入された高圧の洗浄水が洗浄槽１４内へ漏れ出さないように、配管部材１６はシール部材４２を介して洗浄槽１４の底面に固定している。
【００２３】
上記構成において動作を説明する。食器かご６に食器類５を配置して洗浄槽１４内に収容し、運転を開始すると、給水弁８が開き、洗浄槽１４内に所定量給水された後、洗浄ポンプ１０を駆動する。これにより洗浄ポンプ１０で加圧された洗浄水が、切換弁１７を通過して少なくとも洗浄ノズル１８〜２０のいずれか１つから食器かご６内の食器類５に向けて噴射され、食器類５に付着した汚れを洗浄する。
【００２４】
このとき、洗浄ポンプ１０は断続的に運転を行う。例えば、２５秒運転後５秒停止というように繰り返し運転を行うようにする。この断続的に行われる洗浄ポンプ１０の運転により、切換弁１７を構成する閉塞部材３０は、水力を断続的に受けることになり、重力の影響も併せて上昇と下降すなわち往復運動を行うようになる。
【００２５】
この往復運動は、切換弁１７の上下に構成したカム機構によって回転運動に変換され、閉塞部材３０は一往復するごとに所定の角度だけ回転し、洗浄ポンプ１０から送られてくる洗浄水を分水部２１において、複数の洗浄ノズル１８〜２０へ順次導出するようになる。例えば、洗浄運転を合計３０分間行うのであれば、洗浄ポンプ１０を２５秒運転後５秒停止の繰り返し運転とした場合に、切換弁１７は切換動作を６０回行うことになる。切換弁１７の出口である分水部２１は合計４区画あるので、上述の６０回のように、切換弁１７の切換動作の回数を４の倍数に設定することで、食器かご６に配置した食器全体に均一に水を噴射することができる。
【００２６】
以上のように、本実施の形態においては、洗浄ポンプ１０と複数の洗浄ノズル１８〜２０とを連結する流水経路の途中に切換弁１７を設け、洗浄水を噴射する洗浄ノズルを選択するよう構成し、切換弁１７は、洗浄槽１４の底面に一体に設けた洗浄水導入口４１を有するケース部１５と、このケース部１５の上方に設けかつ洗浄槽１４の底面に固定し洗浄ノズル１８〜２０への流水経路を構成する配管部材１６との間に形成した空間４４内に設けたので、１つの洗浄ポンプ１０で複数の洗浄ノズル１８〜２０から選択的に水を噴射させることができ、コストアップや機器全体の大型化を最小限に抑えつつ、低騒音化と節水化を実現することができる。
【００２７】
また、配管部材１６は、洗浄槽１４の底面にビス止め（図示せず）し、底面より取り外し可能としたので、切換弁１７に異物が噛み込む等の不具合が生じた場合のメンテナンスを洗浄槽１４の内側から容易に行うことができ、使い勝手を向上することができる。
【００２８】
また、配管部材１６は、下側部材１６ａと上側部材１６ｂの上下２部品を接合して形成したので、複雑な形状であっても、配管部材１６を容易に形成することができ、量産性を高めることができる。
【００２９】
なお、図７に示すように、シール部材４２を介在させることなく、配管部材１６を分水部２１の周囲に設けた溶着用リブ４３にて洗浄槽１４の底面に溶着した構成としてもよく、この場合は、切換弁１７に異物が挟まれた場合のメンテナンスの容易さは損なわれるが、より簡単な構成にて低騒音化と節水を実現することができる。
【産業上の利用可能性】
【００３０】
以上のように、本発明にかかる食器洗い機は、１つの洗浄ポンプで複数の洗浄ノズルから選択的に水を噴射させることができ、コストアップや機器全体を最小限に抑え、低騒音化と節水を実現することができるので、洗浄ノズルより食器類に向けて洗浄水を噴射して食器類を洗浄する食器洗い機等として有用である。
【図面の簡単な説明】
【００３１】
【図１】本発明の実施の形態１の食器洗い機の断面図
【図２】同食器洗い機の要部拡大断面図
【図３】同食器洗い機の要部分解斜視図
【図４】同食器洗い機の配管部材の下方斜視図
【図５】（ａ）同食器洗い機の切換弁を構成する閉塞部材の側面図（ｂ）同食器洗い機の切換弁を構成する閉塞部材の上方斜視図（ｃ）同食器洗い機の切換弁を構成する閉塞部材の下方斜視図
【図６】同食器洗浄機の切換弁のカム機構を構成する摺動面の斜視図
【図７】同食器洗い機の他の例の要部断面図
【図８】従来の食器洗い機の断面図
【図９】従来の食器洗い機の側断面図
【符号の説明】
【００３２】
１０  洗浄ポンプ
１４  洗浄槽
１５  ケース部
１６  配管部材
１７  切換弁
１８  洗浄ノズル
１９  洗浄ノズル
２０  洗浄ノズル
４１  洗浄水導入口
４４  空間
【図１】
2005074151.tif 000003
【図２】
2005074151.tif 000004
【図３】
2005074151.tif 000005
【図４】
2005074151.tif 000006
【図５】
2005074151.tif 000007
【図６】
2005074151.tif 000008
【図７】
2005074151.tif 000009
【図８】
2005074151.tif 000010
【図９】
2005074151.tif 000011